(57)【特許請求の範囲】
【請求項１】
商品に付されたコードシンボルのコード情報を読取手段により読み取り、そのコード情報を所定の出力先に出力する商品情報読取装置において、
前記読取手段により読み取られたコードシンボルのコード情報と取引単位内でのそのコード情報の読取回数とを対応づけて記憶するコード情報記憶手段と、
前記読取手段により新たに読み取られたコードシンボルのコード情報と前記コード情報記憶手段により記憶されたコード情報との異同を判定する判定手段と、
この判定手段により同一であると判定された場合には、前記コード情報記憶手段により記憶されている読取回数に１を加算する読取回数加算手段と、
前記判定手段により異なると判定された場合には、前記コード情報記憶手段により記憶されたコード情報を新たに読み取られたコード情報に変更するとともに読取回数を初期値１に変更するデータ変更手段と、
前記読取手段によるコードシンボルのコード情報の読取り毎にそのコード情報に対応して記憶された読取回数を報知する報知手段と、
を備えることを特徴とする商品情報読取装置。
【請求項２】
各種処理を実行するマイコンを備えてこのマイコンが、商品に付されたコードシンボルのコード情報の出力先である商品販売登録データ処理装置から送信される信号により、取引単位を管理することを特徴とする請求項１記載の商品情報読取装置。
【請求項３】
各種処理を実行するマイコンを備えてこのマイコンが、商品に付されたコードシンボルのコード情報の出力先である商品販売登録データ処理装置を制御するホスト装置から送信される信号により、取引単位を管理することを特徴とする請求項１記載の商品情報読取装置。
【請求項４】
各種処理を実行するマイコンを備えてこのマイコンが、商品情報読取装置自身から出力される信号により、取引単位を管理することを特徴とする請求項１記載の商品情報読取装置。
【請求項５】
前記報知手段は、報知する読取回数分のブザー音を発生して読取回数を報知する請求項１ないし４のいずれか一記載の商品情報読取装置。
【発明の詳細な説明】
【０００１】
【発明の属する技術分野】
本発明は、バーコードを読み取るバーコードスキャナ等の商品情報読取装置に関する。
【０００２】
【従来の技術】
一般に、スーパーマーケット等で販売される各商品には各々の商品の商品コードを示すコードを表わしたコードシンボルとして、バーコードが印刷若しくは貼付されている。このようなバーコードのコード情報をバーコードスキャナで読み取って所定の出力先に出力する。これにより、例えばＰＯＳ端末等の商品販売登録データ処理装置に備えられた商品マスタファイルを検索して、商品販売データの登録処理などを実行するようにしている。ここで、商品マスタファイルとは、各商品に各々付されたバーコード固有のコード情報である商品コードに対応して、商品名称、販売価格、部門コード等で構成される商品データが設定されているものである。
【０００３】
このようなバーコードスキャナは、個々の商品のバーコードの読取時において、そのバーコードが正常に読み取られたことをオペレータであるキャッシャに報知するために、例えば「ピッ」というような読取音を発するように構成されている。したがって、キャッシャは、バーコードスキャナを用いて商品毎に順次バーコードの読取りを行なう際には、読取音を聞き取ることにより読取りが正常に行なえたことを確認できる。
【０００４】
【発明が解決しようとする課題】
ところで、顧客との取引においては、同一商品を複数個購入するケースが頻繁に起こりうる。この場合、慣れているキャッシャであれば、まず同一商品が何個あるかを目視により判断すると同時にその中の１つの商品のバーコードを読み取る。その後、例えば「×キー」を押下し、個数を入力する操作手順を採る。このような操作により、たとえ同一商品が複数個存在してもその中の１つの商品のバーコードだけを読み取れば良いので、非常に効率の良い登録処理が行なえる。
【０００５】
しかしながら、経験が十分でなく操作について熟知していないキャッシャは、前述したような「×キー」を使用する操作をせずに複数個存在する全ての同一商品について読取りをしたり、または、複数個存在する商品の中の１つの商品のバーコードを複数個分の回数にわたって読取りをする。この場合、特に後者の場合において、バーコードスキャナで何個分のバーコードを読み取ったかが判断出来なくなるケースを生じることがある。また、二度読みの危険性もある。このようなケースでは、ＰＯＳ端末のジャーナル等で確認しなければならないので非常に面倒であり、顧客にも迷惑がかかってしまう。
【０００６】
本発明の目的は、一取引における同一商品の読取回数を正確に把握することにより、誤った取引の発生を未然に防止する商品情報読取装置を得ることである。
【０００７】
【課題を解決するための手段】
【０００９】
請求項１記載の発明は、商品に付されたコードシンボルのコード情報を読取手段により読み取り、そのコード情報を所定の出力先に出力する商品情報読取装置において、読取手段により読み取られたコードシンボルのコード情報と取引単位内でのそのコード情報の読取回数とを対応づけて記憶するコード情報記憶手段と、読取手段により新たに読み取られたコードシンボルのコード情報とコード情報記憶手段により記憶されたコード情報との異同を判定する判定手段と、この判定手段により同一であると判定された場合には、コード情報記憶手段により記憶されている読取回数に１を加算する読取回数加算手段と、判定手段により異なると判定された場合には、コード情報記憶手段により記憶されたコード情報を新たに読み取られたコード情報に変更するとともに読取回数を初期値１に変更するデータ変更手段と、読取手段によるコードシンボルのコード情報の読取り毎にそのコード情報に対応して記憶された読取回数を報知する報知手段と、を備える。
【００１０】
したがって、或る一取引において、読取手段により新たに読み取られたコードシンボルのコード情報とコード情報記憶手段により記憶されたコード情報とが同一であると判定手段により判定された場合には、読取回数加算手段によってコード情報に対応する読取回数が１だけ加算され、報知手段によりその読取回数が報知される。これにより、取引単位内において同一のコード情報を持つコードシンボルを連続して読み取った場合には、その連続読取回数が報知される。
【００１３】
請求項２記載の発明は、請求項１記載の商品情報読取装置において、各種処理を実行するマイコンを備えてこのマイコンが、商品に付されたコードシンボルのコード情報の出力先である商品販売登録データ処理装置から送信される信号により、取引単位を管理する。
【００１４】
したがって、例えばコード情報の出力先である商品販売登録データ処理装置から送信される締め処理の開始及び終了信号を一取引に係る開始及び終了の信号であるとみなすことによって、取引単位が管理される。
【００１５】
請求項３記載の発明は、請求項１記載の商品情報読取装置において、各種処理を実行するマイコンを備えてこのマイコンが、商品に付されたコードシンボルのコード情報の出力先である商品販売登録データ処理装置を制御するホスト装置から送信される信号により、取引単位を管理する。
【００１６】
したがって、例えばコード情報の出力先である商品販売登録データ処理装置を制御するホスト装置から送信される締め処理の開始及び終了信号を一取引に係る開始及び終了の信号であるとみなすことによって、取引単位が管理される。
【００１７】
請求項４記載の発明は、請求項１記載の商品情報読取装置において、各種処理を実行するマイコンを備えてこのマイコンが、商品情報読取装置自身から出力される信号により、取引単位を管理する。
請求項５記載の発明は、請求項１ないし４のいずれか一記載の商品情報読取装置において、前記報知手段は、報知する読取回数分のブザー音を発生して読取回数を報知する。
【００１８】
したがって、例えば商品情報読取装置自身に備えられるキーの押下により一取引に係る開始及び終了の信号が出力されることによって、取引単位が管理される。
【００１９】
【発明の実施の形態】
本発明の一実施の形態を図１ないし図３に基づいて説明する。本実施の形態は、商品販売登録データ処理装置（ここでは、ＰＯＳ端末とする）に接続される商品情報読取装置として定置式のバーコードスキャナ１に適用した一例である。このバーコードスキャナ１は、商品に付されたコードシンボルであるバーコードを光学的走査により読み取るものである。
【００２０】
図１は、バーコードスキャナ１の各部の電気的接続を示すブロック図である。バーコードスキャナ１は、マイコン２を内蔵し、このマイコン２が、バーコードを正常に読み取ったことをキャッシャに報知するためにブザー音を発生する音声出力装置３、レーザー光を出射する読取用光出力装置４、Ａ／Ｄ変換装置５、所定事項を表示する表示装置６等の各部をバスライン７と各種制御回路（図示せず）とを介して駆動制御する。また、Ａ／Ｄ変換装置５にはバーコードの反射光を受光して電気信号としてアナログ出力する光センサ８が接続されていて、このアナログ出力がＡ／Ｄ変換装置５によりデジタル信号に変換される。マイコン２は、各部を集中的に制御するＣＰＵ９に、バスライン７を介して、制御プログラム等の固定的データを予め記憶するＲＯＭ１０と可変的なデータを一時的に記憶してワークエリア等の機能を果たすＲＡＭ１１とを接続することにより構成されている。さらに、マイコン２には、ＰＯＳ端末を接続し各種データを出力する通信Ｉ／Ｆ１２がバスライン７を介して接続されている。
【００２１】
また、ＲＡＭ１１には、コード読取回数記憶エリアＡのための記憶領域が確保されている。ここで図２は、コード読取回数記憶エリアＡのデータ構造を示す模式図である。コード読取回数記憶エリアＡは、バーコードデータ格納エリアＢと読取回数格納エリアＣとで構成されている。バーコードデータ格納エリアＢはコード情報であるバーコードデータｄを一時記憶する領域であり、読取回数格納エリアＣは読取回数ｎをバーコードデータｄに対応付けて一時記憶する領域である。ここに、コード情報記憶手段が実現されている。
【００２２】
バーコードスキャナ１が起動されるとＲＯＭ１０に格納された制御プログラムがＲＡＭ１１に書き込まれ、これによってマイコン２による各部の制御が可能な状態となり、各種処理が実行される。次いで、商品に付されたバーコードの読取りによるスキャニング処理について説明する。
【００２３】
図３は、バーコードスキャナ１におけるスキャニング処理の流れを概略的に示すフローチャートである。なお、この際のＰＯＳ端末は、登録モードに設定されており、商品売上登録処理を実行しているものとする。
【００２４】
まず、ステップＳ１では、ＰＯＳ端末からの一取引開始の信号である読取信号の受信があるまで待機する。この読取信号を受信すると（ステップＳ１のＹ）、ＲＡＭ１１のコード読取回数記憶エリアＡのバーコードデータ格納エリアＢのバーコードデータｄがクリアされるとともに、ＲＡＭ１１のコード読取回数記憶エリアＡの読取回数格納エリアＣの読取回数ｎが“ｎ＝１”に初期化される（ステップＳ２）。
【００２５】
次いで、ステップＳ３において、バーコードの読取りに待機する。バーコードの読取りは、まず、読取用光出力装置４から出射されたレーザー光を反射・走査したレーザー走査線に交差させた商品のバーコードの白黒によって変調されたレーザー光の反射光を光センサ８で受光するとともに、この受光した反射光を光センサ８で電気信号としてアナログ出力する。その後、Ａ／Ｄ変換装置５でデジタル信号に変換されてバーコード符号が復調されることによって、バーコードの読取りがされる。ここに、読取手段の機能が実行される。
【００２６】
バーコードを読み取ると（ステップＳ３のＹ）、ステップＳ４において、バーコードデータ格納エリアＢにバーコードデータｄが格納されているか否かの判断をする。バーコードデータ格納エリアＢにバーコードデータｄが格納されている場合（ステップＳ４のＹ）はステップＳ５に進み、バーコードデータ格納エリアＢにバーコードデータｄが格納されていない場合（ステップＳ４のＮ）はステップＳ７に進む。
【００２７】
ステップＳ５では、新たに読み取られたバーコードのバーコードデータｄとバーコードデータ格納エリアＢに格納されているバーコードデータｄとの異同を判定する。ここに、判定手段の機能が実行される。
【００２８】
異なると判定された場合は（ステップＳ５のＮ）、バーコードデータ格納エリアＢのバーコードデータｄがクリアされるとともに、読取回数格納エリアＣの読取回数ｎが“ｎ＝１”に初期化される（ステップＳ６）。さらに、ステップＳ７において、新たに読み取ったバーコードのバーコードデータｄをバーコードデータ格納エリアＢに格納する。これらステップＳ６〜Ｓ７により、データ変更手段の機能が実行される。
【００２９】
前述したバーコードデータ格納エリアＢにバーコードデータｄが格納されていない場合も（ステップＳ４のＮ）、新たに読み取ったバーコードのバーコードデータｄをバーコードデータ格納エリアＢに格納する。
【００３０】
また、同一であると判定された場合（ステップＳ５のＹ）は、ステップＳ８において、読取回数格納エリアＣの読取回数ｎを“１”だけインクリメントする。ここに、読取回数加算手段の機能が実行される。
【００３１】
続くステップＳ９では、音声出力装置３がバーコードを正常に読み取ったことをオペレータであるキャッシャに報知するためにブザー音を発生する。この場合、ブザー音は、読取回数格納エリアＣの読取回数ｎと同数の回数だけ鳴らされる。ここに、報知手段の機能が実行される。
【００３２】
さらに、今回読み取られたバーコードのバーコードデータｄをＰＯＳ端末に送信する（ステップＳ１０）。
【００３３】
これらステップＳ３〜Ｓ１０に示した処理は、ステップＳ１１でＰＯＳ端末からの一取引終了の信号である読取停止信号が受信されるまで繰り返される。
【００３４】
ここに、一取引におけるバーコードスキャナ１によるバーコードの読取態様を考える。例えば、各々バーコードが付された異なる商品ｗ，ｘ，ｙ，ｚに関してバーコードスキャナ１でバーコードの読取りを行なった場合であれば、直前に読み取られてバーコードデータ格納エリアＢに格納されたバーコードデータｄと今回読み取られたバーコードデータｄとが異なるので（ステップＳ５のＮ）、ステップＳ３→Ｓ４→Ｓ５→Ｓ６→Ｓ７→Ｓ９→Ｓ１０なる処理を順次繰り返すことになる。よって、バーコードの読取りの度に、ブザー音が１回だけ鳴らされる（ステップＳ９）。
【００３５】
一方、同じく、各々バーコードが付された異なる商品ｗ，ｘ，ｙ，ｚに関するバーコードスキャナ１によるバーコードの読取りであっても、例えば、商品ｘが２個存在し、この２個の商品ｘのバーコードを続けて読み取る場合を考える。商品ｘに関する１個目のバーコード読取時には、上記の場合と同様に、直前に読み取られてバーコードデータ格納エリアＢに格納されたバーコードデータｄと今回新たに読み取られたバーコードデータｄとが異なるので（ステップＳ５のＮ）、バーコードデータ格納エリアＢのバーコードデータｄがクリアされるとともに、読取回数格納エリアＣの読取回数ｎが“１”に初期化され（ステップＳ６）、読み取ったバーコードのバーコードデータｄがバーコードデータ格納エリアＢに格納され（ステップＳ７）、ブザー音が１回だけ鳴らされる（ステップＳ９）。この後、商品ｘに関する２個目のバーコード読取時には、先に読み取られた１個目の商品ｘのバーコードデータ格納エリアＢに格納されたバーコードデータｄと今回新たに読み取られた商品ｘに関する２個目のバーコードデータｄとが同一であるので（ステップＳ５のＹ）、ステップＳ８に従い、今回は読取回数格納エリアＣの読取回数ｎが“１”だけインクリメントされて“ｎ＝２”になるので、ブザー音が２回続けて鳴らされる（ステップＳ９）。よって、キャッシャは、ブザー音が２回続けて鳴ることにより、同じバーコードデータｄを持つバーコードを付された商品ｘを続けて２回読み取ったことが分かる。このように取引単位内において同一商品が複数個ある場合には、１個の商品のみを複数個分続けて読み取ってもブザー音がその読取回数分だけ鳴るので、読取回数が正確に把握され、誤った取引の発生が未然に防止される。
【００３６】
次いで、本発明の参考形態を図４ないし図６に基づいて説明する。なお、前述した本発明の一実施の形態において説明した部分と同一部分は同一符号で示し、説明も省略する。
【００３７】
本実施の形態においては、前述した本発明の第一の実施の形態でのＲＡＭ１１に確保された記憶領域であるコード読取回数記憶エリアＡに代わって、コード読取回数記憶エリアＤとポインタ格納エリアＧとがＲＡＭ１１に確保されている点で異なっている。
【００３８】
ここで図４は、コード読取回数記憶エリアＤのデータ構造を示す模式図、図５はポインタ格納エリアＧのデータ構造を示す模式図である。コード読取回数記憶エリアＤは、バーコードデータ格納エリアＥと読取回数格納エリアＦとで構成されており、バーコードの読取に基づくコード情報であるバーコードデータｄと読取回数ｎとを対応付けて順番に一時記憶する。また、ポインタ格納エリアＧは、ポインタｐを記憶する領域である。ここに、全コード情報記憶手段が実現されている。
【００３９】
図６は、バーコードスキャナ１におけるスキャニング処理の流れを概略的に示すフローチャートである。なお、この際のＰＯＳ端末は、登録モードに設定されており、商品売上登録処理を実行しているものとする。
【００４０】
まず、ステップＳ２１では、ＰＯＳ端末からの一取引開始の信号である読取信号の受信があるまで待機する。この読取信号を受信すると（ステップＳ２１のＹ）、バーコードデータ格納エリアＥのバーコードデータｄが全てクリアされるとともに、バーコードデータｄの格納位置ｍが“ｍ＝０”に、読取回数格納エリアＦの読取回数ｎが“ｎ＝１”に、ポインタ格納エリアＧのポインタｐが“ｐ＝０”に初期化される（ステップＳ２２）。
【００４１】
次いで、ステップＳ２３において、バーコードの読取りがあるまで待機する。バーコードを読み取ると（ステップＳ２３のＹ）、ステップＳ２４において、ポインタｐについて“ｐ＝０”であるか否かの判断をする。“ｐ＝０”でない場合（ステップＳ２４のＮ）は、ステップＳ２５に進み、“ｐ＝０”である場合（ステップＳ２４のＹ）はステップＳ２８に進む。
【００４２】
ステップＳ２５では、読み取ったバーコードのバーコードデータｄとバーコードデータ格納エリアＥのｐ番目に格納されているバーコードデータｄとの異同を判定する。異なっている場合は（ステップＳ２５のＮ）、ステップＳ２６においてポインタｐを“１”だけデクリメントする。これらステップＳ２４〜Ｓ２６に、判定手段の機能が実行される。
【００４３】
また、同一である場合は（ステップＳ２５のＹ）、ステップＳ２７において、該当するバーコードデータｄの読取回数ｎを“１”だけインクリメントする。ここに、読取回数加算手段の機能が実行される。
【００４４】
ステップＳ２５のＮとステップＳ２６とを繰り返すことにより“ｐ＝０”となった場合や、最初の商品の読取りである場合であるために“ｐ＝０”である場合は（ステップＳ２４のＹ）、ステップＳ２８において、バーコードデータｄの格納位置ｍを“１”だけインクリメントする。その後、読み取ったバーコードのバーコードデータｄをバーコードデータ格納エリアＥのｍ番目に格納する（ステップＳ２９）。これらステップＳ２８〜Ｓ２９により、データ追加手段の機能が実行される。
【００４５】
ステップＳ３０では、音声出力装置３がバーコードを正常に読み取ったことをキャッシャに報知するためにブザー音を発生する。この場合、ブザー音は、該当するバーコードデータｄの読取回数ｎと同数の回数だけ鳴らされる。ここに、報知手段の機能が実行される。
【００４６】
次いで、今回読み取られたバーコードのバーコードデータｄをＰＯＳ端末に送信する（ステップＳ３１）。
【００４７】
さらに、ポインタｐを格納位置ｍと同数とする“ｐ←ｍ”の処理を行なう（ステップＳ３２）。
【００４８】
これらステップＳ２３〜Ｓ３２に示した処理は、ステップＳ３３で例えばＰＯＳ端末からの一取引終了の信号である読取停止信号が受信されるまで繰り返される。
【００４９】
ここに、１取引におけるバーコードスキャナ１によるバーコードの読取態様を考える。例えば、各々バーコードが付された異なる商品ｗ，ｘ，ｙ，ｚに関してバーコードスキャナ１でバーコードの読取りを行なった場合であれば、直前に読み取られてバーコードデータ格納エリアＥに格納されたバーコードデータｄと今回新たに読み取られたバーコードデータｄとが異なるので（ステップＳ２５のＮ）、バーコードの読取りの度に、ブザー音が１回だけ鳴らされる（ステップＳ３０）。
【００５０】
一方、同じく、各々バーコードが付された異なる商品ｗ，ｘ，ｙ，ｚに関するバーコードスキャナ１によるバーコードの読取りであっても、例えば、商品ｘが２個存在する場合を考える。商品ｘに関する１個目のバーコード読取時には、上記の場合と同様に、直前に読み取られてバーコードデータ格納エリアＥに格納されたバーコードデータｄと今回新たに読み取られたバーコードデータｄとが異なるので（ステップＳ２５のＮ）、新たに読み取られたバーコードのバーコードデータｄがバーコードデータ格納エリアＥのｍ番目に格納され（ステップＳ２９）、ブザー音が１回だけ鳴らされる（ステップＳ３０）。この後、商品ｘに関する２個目のバーコード読取時には、先に読み取られた１個目の商品ｘのバーコードデータ格納エリアＥのｍ番目に格納されたバーコードデータｄと今回新たに読み取られた商品ｘに関する２個目のバーコードデータｄとが同一であるので（ステップＳ２５のＹ）、ステップＳ２７に従い、該当するバーコードデータｄの読取回数ｎが“１”だけインクリメントされて“ｎ＝２”になるので、ブザー音が２回続けて鳴らされる（ステップＳ３０）。よって、キャッシャは、ブザー音が２回続けて鳴ることにより、少なくとも、同じバーコードデータｄを持つバーコードを付された商品ｘを２回読み取ったことが分かる。このように取引単位内において同一商品が複数個ある場合には、ランダムに商品を読み取ってもブザー音が同一商品についてはその読取回数分だけ鳴るので、予め同一商品が複数あることを意識しなくとも読取回数が正確に把握され、誤った取引の発生が未然に防止される。
【００５１】
なお、上記実施の形態において、コードシンボルとしてバーコードを用いたが、これに限るものではなく、データコード等の二次元コードや、ＩＳＢＮコード等をコードシンボルとして用いても良い。但し、この場合の商品情報読取装置は、それぞれのコードシンボルの読取りに対応している。
【００５２】
また、上記実施の形態では、報知手段として音声出力装置３によりブザー音を読取回数分だけ鳴らすようにしたが、これに限るものではなく、例えば表示装置６に読取回数を表示して報知するようにしても良い。特に定置式のバーコードスキャナ１が縦型である場合においては、客側に表示装置６を設けることにより顧客も同一商品の読取回数を把握することが可能となる。
【００５３】
さらに、上記実施の形態では、ＰＯＳ端末からの一取引開始や一取引終了の信号を受信することにより取引単位を管理するようにしていたが、これに限るものではなく、例えば、ＰＯＳ端末を介してホスト装置から送信される信号やバーコードスキャナ１自身に備えられるキーの押下により出力される信号により取引単位を管理するようにしても良い。
【００５４】
なお、上記実施の形態では、定置式のバーコードスキャナに適用したが、これに限るものではなく、ハンドスキャナ等に適用しても良い。
【００５５】
【発明の効果】
【００５６】
請求項１記載の発明によれば、取引単位内において読取手段により同一のコード情報を持つコードシンボルを連続して２回以上読み取った場合には、その読み取った回数を報知するので、一取引における同一商品の連続読取回数を正確に把握することができ、誤った取引の発生を未然に防止することができる。
【００５８】
請求項２記載の発明によれば、請求項１記載の商品情報読取装置において、例えばコード情報の出力先である商品販売登録データ処理装置から送信される締め処理の開始及び終了信号を一取引に係る開始及び終了の信号であるとみなすことによって取引単位を管理するので、商品毎の読取回数を取引単位毎に正確に把握することができる。
【００５９】
請求項３記載の発明によれば、請求項１記載の商品情報読取装置において、例えばコード情報の出力先である商品販売登録データ処理装置を制御するホスト装置から送信される締め処理の開始及び終了信号を一取引に係る開始及び終了の信号であるとみなすことによって取引単位を管理するので、商品毎の読取回数を取引単位毎に正確に把握することができる。
【００６０】
請求項４記載の発明によれば、請求項１記載の商品情報読取装置において、例えば商品情報読取装置自身に備えられるキーの押下により一取引に係る開始及び終了の信号を出力することによって取引単位を管理するので、商品毎の読取回数を取引単位毎に正確に把握することができる。
【図面の簡単な説明】
【図１】  本発明の一実施の形態であるバーコードスキャナの各部の電気的接続を示すブロック図である。
【図２】  コード読取回数記憶エリアのデータ構造を示す模式図である。
【図３】  バーコードスキャナにおけるスキャニング処理の流れを概略的に示すフローチャートである。
【図４】  本発明の参考形態であるコード読取回数記憶エリアのデータ構造を示す模式図である。
【図５】  ポインタ格納エリアのデータ構造を示す模式図である。
【図６】  バーコードスキャナにおけるスキャニング処理の流れを概略的に示すフローチャートである。
【符号の説明】
ｄ                      コード情報
ｎ                      読取回数
ステップＳ５            判定手段
ステップＳ６〜７        データ変更手段
ステップＳ８            読取回数加算手段
ステップＳ９            報知手段
ステップＳ２４〜２６    判定手段
ステップＳ２７          読取回数加算手段
ステップＳ２８〜２９    データ追加手段
ステップＳ３０          報知手段
【図１】
0003967802.tif 000002
【図２】
0003967802.tif 000003
【図３】
0003967802.tif 000004
【図４】
0003967802.tif 000005
【図５】
0003967802.tif 000006
【図６】
0003967802.tif 000007